(57)【要約】  この撮像装置は、カラー用の撮像素子と、像光を撮像素子の撮像面に結像するレンズと、撮像素子より出力されたカラー毎のアナログ信号をデジタル信号に変換してＲＡＷデータを生成するＡ／Ｄ変換器と、Ａ／Ｄ変換器により生成されたＲＡＷデータを格納したＩＰパケットを生成する送信処理部と、生成されたＩＰパケットをネットワークを通じて、ＲＡＷデータの現像処理を行うことが可能なサーバに送信するネックワークインタフェースとを具備する。
2015125405.tif 000002
【特許請求の範囲】
【請求項１】
カラー用の撮像素子と、
前記撮像素子より出力されたカラー毎のアナログ信号をデジタル信号に変換してＲＡＷデータを生成するＡ／Ｄ変換器と、
前記Ａ／Ｄ変換器により生成された前記ＲＡＷデータを格納したＩＰパケットを生成する送信処理部と、
前記生成されたＩＰパケットをネットワークを通じて、前記ＲＡＷデータの現像処理を行うことが可能なサーバに送信するネックワークインタフェースと
を具備する撮像装置。
【請求項２】
請求項１に記載の撮像装置であって、
前記Ａ／Ｄ変換器により生成された前記ＲＡＷデータをバッファリングするバッファを
さらに具備する撮像装置。
【請求項３】
請求項２に記載の撮像装置であって、
前記サーバから送信される、当該サーバのビジー状態を示すビジー情報を取得するビジー情報取得部と、
前記検出されたビジー情報をもとに前記バッファの出力レートを変更するコントローラと
をさらに具備する撮像装置。
【請求項４】
請求項３に記載の撮像装置であって、
前記撮像素子の水平解像度が２．５Ｋ以上である
撮像装置。
【請求項５】
請求項４に記載の撮像装置であって、
前記ＲＡＷデータのフレームレートが２３フレーム／秒以上である
撮像装置。
【請求項６】
請求項５に記載の撮像装置であって、
前記ＲＡＷデータの画素毎のビット数が１２ビット以上である
撮像装置。
【請求項７】
請求項１に記載の撮像装置であって、
前記ＲＡＷデータを圧縮する圧縮部をさらに具備し、
前記送信処理部は、前記圧縮されたＲＡＷデータを格納したＩＰパケットを生成する
撮像装置。
【請求項８】
請求項１に記載の撮像装置であって、
前記ＲＡＷデータを暗号化する暗号化部をさらに具備し、
前記送信処理部は、前記暗号化されたＲＡＷデータを格納したＩＰパケットを生成する
撮像装置。
【請求項９】
請求項１に記載の撮像装置であって、
前記ＲＡＷデータを圧縮する圧縮部をさらに具備し、
前記ＲＡＷデータを暗号化する暗号化部をさらに具備し、
前記送信処理部は、前記圧縮され、かつ前記暗号化されたＲＡＷデータを格納したＩＰパケットを生成する
撮像装置。
【請求項１０】
請求項９に記載の撮像装置であって、
前記暗号化部は、前記圧縮部により圧縮されたＲＡＷデータを暗号化する
撮像装置。
【請求項１１】
請求項５に記載の撮像装置であって、
前記ＲＡＷデータを圧縮する圧縮部をさらに具備し、
前記ＲＡＷデータを暗号化する暗号化部をさらに具備し、
前記送信処理部は、前記圧縮され、かつ前記暗号化されたＲＡＷデータを格納したＩＰパケットを生成する
撮像装置。
【請求項１２】
Ａ／Ｄ変換器にて、カラー用の撮像素子より出力されたカラー毎のアナログ信号をデジタル信号に変換してＲＡＷデータを生成し、
送信処理部にて、前記生成された前記ＲＡＷデータを格納したＩＰパケットを生成し、
ネットワークインタフェースにより、前記生成されたＩＰパケットをネットワークを通じて、前記ＲＡＷデータの現像処理を行うことが可能なサーバに送信する
撮像方法。
【請求項１３】
撮像装置と、この撮像装置とネットワークを通じて接続可能なサーバとを具備し、
前記撮像装置は、
カラー用の撮像素子と、
前記撮像素子より出力されたカラー毎のアナログ信号をデジタル信号に変換してＲＡＷデータを生成するＡ／Ｄ変換器と、
前記Ａ／Ｄ変換器により生成された前記ＲＡＷデータを格納したＩＰパケットを生成する送信処理部と、
前記生成されたＩＰパケットをネットワークを通じて前記サーバに送信するネックワークインタフェースと、を具備し、
前記サーバが、
前記ＲＡＷデータの現像処理を行うように構成されたＣＰＵ
を具備する撮像システム。
【発明の詳細な説明】
【技術分野】
【０００１】
本技術は、撮像素子を用いて被写体を撮像可能な撮像装置、撮像方法および撮像システムに関する。
【背景技術】
【０００２】
近年、業務用カメラの高画素化および高フレームレート化が進んでいる。このため、カメラのコントローラの負荷はますます増大の傾向にある。【０００３】
カメラのコントローラの負荷を減らしてカメラを小型化するために、カメラの撮像素子より生成されるＲＡＷデータに対するＲＧＢ変換、色歪み補正、画像調整、ガンマ補正などの処理を、カメラに光ケーブルを通じて接続された現像ユニットにて行うようにしたシステムが知られている（例えば、特許文献１参照。）。
【先行技術文献】
【特許文献】
【０００４】
【特許文献１】特開２０１１−２１６９４８号公報
【発明の概要】
【発明が解決しようとする課題】
【０００５】
本技術は、コントローラの負荷をより抑え、小型化および省電力化を図ることのできる撮像装置、撮像方法および撮像システムを提供することを目的とする。
の目的は、を提供することにある。
【課題を解決するための手段】
【０００６】
上記の課題を解決するために、本技術に係る撮像装置は、カラー用の撮像素子と、前記撮像素子より出力されたカラー毎のアナログ信号をデジタル信号に変換してＲＡＷデータを生成するＡ／Ｄ変換器と、前記Ａ／Ｄ変換器により生成された前記ＲＡＷデータを格納したＩＰパケットを生成する送信処理部と、前記生成されたＩＰパケットをネットワークを通じて、前記ＲＡＷデータの現像処理を行うことが可能なサーバに送信するネックワークインタフェースとを具備する。【０００７】
前記の撮像装置は、前記Ａ／Ｄ変換器により生成された前記ＲＡＷデータをバッファリングするバッファをさらに具備するものであってよい。【０００８】
前記の撮像装置は、前記サーバから送信される、当該サーバのビジー状態を示すビジー情報を取得するビジー情報取得部と、前記検出されたビジー情報をもとに前記バッファの出力レートを変更するコントローラとをさらに具備するものであってよい。【０００９】
本技術に係る撮像方法は、Ａ／Ｄ変換器にて、カラー用の撮像素子より出力されたカラー毎のアナログ信号をデジタル信号に変換してＲＡＷデータを生成し、送信処理部にて、前記生成された前記ＲＡＷデータを格納したＩＰパケットを生成し、ネットワークインタフェースにより、前記生成されたＩＰパケットをネットワークを通じて、前記ＲＡＷデータの現像処理を行うことが可能なサーバに送信する方法である。【００１０】
本技術に係る別の観点に基づく撮像システムは、撮像装置と、この撮像装置とネットワークを通じて接続可能なサーバとを具備し、前記撮像装置は、カラー用の撮像素子と、前記撮像素子より出力されたカラー毎のアナログ信号をデジタル信号に変換してＲＡＷデータを生成するＡ／Ｄ変換器と、前記Ａ／Ｄ変換器により生成された前記ＲＡＷデータを格納したＩＰパケットを生成する送信処理部と、前記生成されたＩＰパケットをネットワークを通じて前記サーバに送信するネックワークインタフェースと、を具備し、前記サーバが、前記ＲＡＷデータの現像処理を行うように構成されたＣＰＵを具備する。
【発明の効果】
【００１１】
以上のように、本技術によれば、コントローラの負荷をより抑え、小型化および省電力化を図ることができる。
【図面の簡単な説明】
【００１２】
【図１】図１は本技術に係る第１の実施形態の撮像システム１０の全体の構成を示すブロック図である。
【図２】第１の実施形態の撮像システム１０（１０Ａ）における撮像装置１００（１００Ａ）およびネットワークサーバ２００の構成を示すブロック図である。
【図３】第２の実施形態の撮像システム１０Ｂにおける主に撮像装置１００Ｂの構成を示すブロック図である。
【図４】第３の実施形態の撮像システム１０Ｃにおける主に撮像装置１００Ｃの構成を示すブロック図である。
【図５】第１の実施形態の撮像装置１００Ａの変形例１を示すブロック図である。
【図６】第２の実施形態の撮像装置１００Ｂの変形例１を示すブロック図である。
【図７】第３の実施形態の撮像装置１００Ｃの変形例１を示すブロック図である。
【図８】第１の実施形態の撮像装置１００Ａの変形例２を示すブロック図である。
【図９】第２の実施形態の撮像装置１００Ｂの変形例２を示すブロック図である。
【図１０】第３の実施形態の撮像装置１００Ｃの変形例２を示すブロック図である。
【図１１】第１の実施形態の撮像装置１００Ａの変形例３を示すブロック図である。
【図１２】第２の実施形態の撮像装置１００Ｂの変形例３を示すブロック図である。
【図１３】第３の実施形態の撮像装置１００Ｃの変形例３を示すブロック図である。
【発明を実施するための形態】
【００１３】
以下、本技術に係る実施形態を、図面を参照しながら説明する。
＜第１の実施形態＞
【００１４】
［撮像システム１０の構成］
図１は本技術に係る第１の実施形態の撮像システム１０の全体の構成を示すブロック図である。
この撮像システム１０は、１以上の撮像装置１００と、ネットワークサーバ２００と、ネットワーク３００とを備える。
【００１５】
この撮像システム１０において、各々の撮像装置１００は、被写体を撮像し、撮像信号からＲＡＷデータを生成してネットワーク３００に送り出す。
【００１６】
ネットワークサーバ２００は、ネットワーク３００を通じて撮像装置１００より送られてきたＲＡＷデータに対して現像処理、保存処理などを行う。すなわち、ＲＡＷデータがネットワーク３００を通じて各々の撮像装置１００からネットワークサーバ２００に伝送される。
【００１７】
ネットワーク３００は、ＬＡＮ（Local Area Network）であっても、ＷＡＮ（Wide Area Network）、あるいはインターネットであってもよい。なお、撮像装置１００は１つであってもよい。ネットワークサーバ２００は、分散型で処理を実行するために複数あってもよい。
【００１８】
［撮像装置の構成］
図２は、第１の実施形態の撮像システム１０（１０Ａ）における撮像装置１００（１００Ａ）およびネットワークサーバ２００の構成を示すブロック図である。
【００１９】
なお、同図において、撮像システム１０は「撮像システム１０Ａ」と表記し、撮像装置１００は「撮像装置１００Ａ」と表記する。
【００２０】
撮像装置１００Ａは、レンズ１０１、撮像素子１０２、Ａ／Ｄ変換器１０３、送信処理部１０４、ネットワークインタフェース１０５およびコントローラ１１０を備える。
【００２１】
レンズ１０１は、像光を撮像素子１０２の撮像面に結像するためのレンズである。
【００２２】
撮像素子１０２は、光をその強さに応じたＲＧＢ毎の電気的信号に変換する。撮像素子１０２は、例えば、ＣＭＯＳ（Complementary MOS）イメージセンサー、ＣＣＤ（Charge Coupled Device）イメージセンサーなどである。撮像素子１０２は、例えば、ベイヤー配列を有するものである。
【００２３】
Ａ／Ｄ変換器１０３は、撮像素子１０２より出力されたＲＧＢ毎のアナログ信号から、Ａ／Ｄ変換によって１画素あたり例えば１２ビットなどのＲＡＷデータを生成する。
【００２４】
送信処理部１０４は、Ａ／Ｄ変換器１０３より出力されたＲＡＷデータからＴＣＰ／ＩＰ（Transmission Control Protocol / Internet Protocol）ネットワーク伝送用のパケット（ＩＰパケット）を生成する。このパケットには、予め指定されたネットワークサーバ２００のＩＰアドレスなどを含むヘッダ構造が付加される。転送プロトコルには、例えば、ＦＴＰ（File Transfer Protocol）などが用いられる。
【００２５】
ネットワークインタフェース１０５は、送信処理部１０４により生成されたＩＰパケットを、ネットワーク３００を通じてネットワークサーバ２００に伝送する。
【００２６】
コントローラ１１０は、例えばＣＰＵ（Central Processing Unit）、メインメモリなどのハードウェアと、プログラムなどのソフトウェアとで構成される。コントローラ１１０は、プログラマブルコントローラなどで構成されてもよい。コントローラ１１０は、撮像素子１０２、Ａ／Ｄ変換器１０３、送信処理部１０４、ネットワークインタフェース１０５などの制御を行う。
【００２７】
典型的な撮像装置（図示せず）では、コントローラが、ＲＡＷデータに対する現像処理までをも担っていた。このため、コントローラには、高速なＣＰＵ、大容量のメインメモリなどが必要とされていた。これに対して本実施形態の撮像装置１００Ａでは、ＲＡＷデータに対する現像処理は、撮像装置１００にネットワーク３００を通じて接続されたネットワークサーバ２００のハードウェア資源を用いて行われる構成となっている。このため、撮像装置１００のコントローラ１１０には、現像処理の負荷を見込んだ高速なＣＰＵ、大容量のメインメモリなどが不要となり、撮像装置１００の小型化、省電力化、低コスト化を実現できる。
【００２８】
ネットワークサーバ２００は、具体的には、ＣＰＵ（Central Processing Unit）２０１、メモリ２０２、ストレージ２０３、ネットワークインタフェース２０４、ユーザインタフェース２０５、システムバス２０６などのコンピュータのハードウェアと、オペレーティングシステム、現像を含む画像処理のためのアプリケーションプログラムなどのソフトウェアを備えて構成されるものである。
【００２９】
ＣＰＵ２０１は、アプリケーションプログラムを実行することによって、ネットワークサーバ２００（コンピュータ）を次のように動作させることが可能である。
【００３０】
１．ＣＰＵ２０１は、ネットワークインタフェース２０４にて受信されたＩＰパケットからＲＡＷデータを取り出してメモリ２０２に展開し、映像化のための現像処理を行う。ここで言う現像処理とは、少なくとも、撮像装置１００の撮像素子１０２のＲＧＢ画素配列（ベイヤー配列など）に対応した画素補間処理を含むものである。また、画素補間処理の他、色歪み補正、ホワイトバランス調整、ガンマ補正、コントラスト調整、シャープネス処理など様々な画像調整などが行われてもよい。
【００３１】
２．ＣＰＵ２０１は、映像化されたデータ（以下「映像データ」と呼ぶ。）をユーザインタフェース２０５の表示装置に表示させるための処理を行う。
【００３２】
３．ＣＰＵ２０１は、映像データをストレージ２０３に保存する処理を行う。
【００３３】
４．ＣＰＵ２０１は、現像処理によって生成された映像データあるいはストレージ２０３に保存された映像データをネットワーク３００を通じて別の機器に伝送する処理を行う。
【００３４】
メモリ２０２は、オペレーティングシステムおよびアプリケーションプログラムなどのソフトウェアや、ＲＡＷデータ、さらには現像処理過程のデータなどが一時的に記憶される。
【００３５】
ストレージ２０３は、例えばＨＤＤ（Hard disk drive）、ＳＳＤ（solid state drive）、磁気テープレコーダなどの大容量の外部記憶装置である。ストレージ２０３には、例えば、現像前のＲＡＷデータや、現像された映像データなどが格納される。
【００３６】
ネットワークインタフェース２０４は、ネットワーク３００との接続を処理するインタフェースである。
【００３７】
ユーザインタフェース２０５は、ユーザからの各種の指示や画像調整のための各種のパラメータの値の入力などを受け付ける入力装置と、現像処理のためのＧＵＩ（Graphical User Interface）、さらには現像された映像データなどを表示する表示装置とを有する。入力装置は具体的にはキーボード、マウスなどである。表示装置は具体的には液晶ディスプレイ、有機ＥＬディスプレイなどである。
【００３８】
ネットワークサーバ２００は、現像処理などを行うためにＧＰＵ（Graphics Processing Unit）やＧＰＧＰＵ（General-purpose computing on graphics processing units）２０７を備えて構成されたものであってよい。
【００３９】
［撮像システム１０Ａの動作］
次に、本実施形態の撮像システム１０Ａの動作を説明する。
【００４０】
まず、撮像装置１００Ａにおいて、レンズ１０１により撮像素子１０２の撮像面に像光が結像される。撮像素子１０２からはＲＧＢ毎の光の強さに対応したアナログの電気信号が出力される。その撮像素子１０２からのアナログの電気信号はＡ／Ｄ変換器１０３に入力される。
【００４１】
Ａ／Ｄ変換器１０３は、撮像素子１０２からのアナログの電気信号からＡ／Ｄ変換によって、画素毎に例えば１２ビットのＲＡＷデータを生成し、送信処理部１０４に供給する。
【００４２】
送信処理部１０４は、Ａ／Ｄ変換器１０３より供給されたＲＡＷデータから複数のＩＰパケットを生成し、ネットワーク３００に送り出す。ＩＰパケットの宛先はネットワークサーバ２００である。
【００４３】
なお、Ａ／Ｄ変換器１０３にて得られたＲＡＷデータに対して、例えば画素の欠陥補正、色ノイズ補正などの処理が行われてもよい。すなわち、ＩＰバケットに格納されるＲＡＷデータは、撮像素子１０２の画素配列構造を有するＲＡＷデータであれば、個々の画素の値に対して何らかの処理が施されたものであってもよい。
【００４４】
ネットワークサーバ２００のＣＰＵ２０１は、ネットワークインタフェース２０４にてＩＰパケットを受信すると、この受信したＩＰパケットからＲＡＷデータを抽出し、メモリ２０２に展開する。
【００４５】
ネットワークサーバ２００のＣＰＵ２０１は、メモリ２０２に展開されたＲＡＷデータに対して、少なくとも画素補間処理を含む現像処理を行う。この現像処理によって生成された映像データはストレージ２０３に一旦保存される。映像データは、ユーザインタフェース２０５の表示装置にリアルタイムに表示されてもよい。
【００４６】
この実施形態の撮像システム１０Ａにおいて、撮像装置１００Ａからネットワークサーバ２００にＲＡＷデータを良好に連続伝送するためには、Ａ／Ｄ変換器１０３の出力レートとＲＡＷデータの伝送レートとが常時一致していなければならない。このような条件を満足するために、撮像装置１００Ａとネットワークサーバ２００とのネットワーク３００を通じた接続に十分な通信速度が保証されている必要がある。
【００４７】
Ａ／Ｄ変換器１０３の出力レートは、撮像素子１０２の解像度、フレームレート、さらにはＲＡＷデータにおける画素毎のビット数などによって決まる。例えば、近年、例えば、業務用（放送／シネマ用途）の撮像装置の要求スペックにおいて、撮像素子の水平解像度は２．５Ｋ以上、フレームレートは２３フレーム／秒以上、画素毎のビット数は１２ビット（１２ビット、１４ビット、１６ビットなど）以上とされている。
【００４８】
以上のように、本実施形態の撮像システム１０Ａでは、撮像装置１００ＡがＲＡＷデータをパケット化し、ネットワーク３００を通じてネットワークサーバ２００に伝送する。ネットワークサーバ２００は、受信したパケットからＲＡＷデータを抽出して画素補間などの現像処理を行う。すなわち、撮像装置１００での現像処理が不要になることから撮像装置１００内のコントローラ１１０の負荷を大幅に低減でき、撮像装置１００の小型化、高速化、低コスト化を図れる。
【００４９】
＜第２の実施形態＞
図３は第２の実施形態の撮像システム１０Ｂにおける主に撮像装置１００Ｂの構成を示すブロック図である。ネットワークサーバ２００の構成は第１の実施形態と同じである。また、撮像装置１００Ｂにおいて、第１の実施形態の撮像装置１００Ａと同一の部分には同じ符号が付けられている。
【００５０】
この第２の実施形態の撮像システム１０Ｂの第１の実施形態の撮像システム１０Ａとの相違点は、撮像装置１００Ｂにおいて、Ａ／Ｄ変換器１０３と送信処理部１０４との間にバッファ１０６が設けられている点にある。バッファ１０６は、Ａ／Ｄ変換器１０３の出力レートとＲＡＷデータの伝送レートとの差を吸収するためのメモリである。
【００５１】
撮像装置１００Ｂとネットワークサーバ２００との間に十分な通信速度が保証されない場合には、このようにバッファ１０６を追加した構成とすることによって、撮像装置１００Ｂからネットワークサーバ２００にＲＡＷデータを良好に連続伝送することができる。例えば、現像後の映像フレームの欠落などを防止できる。
【００５２】
＜第３の実施形態＞
図４は第３の実施形態の撮像システム１０Ｃにおける主に撮像装置１００Ｃの構成を示すブロック図である。ネットワークサーバ２００の構成は第１の実施形態と同じである。また、撮像装置１００Ｃにおいて、第２の実施形態の撮像装置１００Ｂと同一の部分には同じ符号が付けられている。
【００５３】
この撮像システム１０Ｃの撮像装置１００Ｃはビジー情報取得部１０７を備える。
【００５４】
ビジー情報取得部１０７は、ネットワークサーバ２００から撮像装置１００Ｃにネットワーク３００を通じて送信されるサーバビジー情報を検出する。ビジー情報取得部１０７は、サーバビジー情報を検出すると、コントローラ１１０にそのサーバビジー情報に対応するステータスを通知する。
【００５５】
コントローラは、ビジー情報取得部１０７からのサーバビジー情報のステータスを受けると、バッファ１０６からのＲＡＷデータの出力レートを低下させるように制御する。
【００５６】
バッファ１０６からのＲＡＷデータの出力レートを低下させる方法としては、例えば、以下がある。
１．サーバビジー情報がビジー状態とアンビジー状態の２つの値をとりうる場合を想定する。コントローラ１１０は、ビジー状態を受けてバッファ１０６からの出力を停止させ、アンビジー状態を受けて出力を再開するように制御を行う。
【００５７】
２．サーバビジー情報がネットワークサーバ２００のビジー度を定量的に示す値を有する場合を想定する。コントローラ１１０は、ビジー度の値に対応した時間、バッファ１０６からの出力を停止させる。これにより、コントローラ１１０は、バッファ１０６からの出力レートを動的に制御する。
【００５８】
ネットワークサーバ２００が、複数の撮像装置１００Ｃ（図１の複数の撮像装置１００参照）からＲＡＷデータのパケットを受信して処理する場合、ネットワークサーバ２００のＣＰＵ２０１の負荷が時間的に変動する。ネットワークサーバ２００のＣＰＵ２０１は、例えば、ＲＡＷデータのパケットの受信レート、接続中の撮像装置１００Ｃの数など、負荷を監視する。ＣＰＵ２０１は、検出された負荷に対応したサーバビジー情報を生成して、パケット送信元の撮像装置１００Ｃに応答するように制御をする。なお、ネットワークサーバ２００でのサーバビジー情報の応答制御は、その他、様々な方式に置き換えてもよい。
【００５９】
ネットワークサーバ２００のＣＰＵ２０１は、例えば、次のような場合にサーバビジー情報を撮像装置１００Ｃに送信する。
１．別の撮像装置１００ＣからのＲＡＷデータの現像処理を実行中であるとき。
２．ＣＰＵ２０１の空きリソースが決められた割合以下であるとき。
３．その他。
【００６０】
本実施形態によれば、ネットワークサーバ２００の負荷状況に応じて、撮像装置１００Ｃからネットワークサーバ２００へのＲＡＷデータの伝送レートを制御することができ、ネットワークサーバ２００の負荷を時間的に分散することができる。これにより、撮像システム１０Ｃの信頼性を向上させることができる。
【００６１】
＜変形例１＞
次に、上記の実施形態の変形例を説明する。
図５、図６、図７は上記の第１の実施形態から第３の実施形態の撮像装置１００Ａ、１００Ｂ、１００Ｃ各々の変形例１を示すブロック図である。
【００６２】
図５、図６、図７に示すように、これらの変形例１においては、ＲＡＷデータのパケット化の前に、ＲＡＷデータを暗号化する暗号化部１０８が設けられる。ＲＡＷデータを暗号化には、例えば、ＤＥＳ（Data Encryption Standard：標準暗号）、ＡＥＳ（Advanced Encryption Standard：共通鍵暗号方式）、または公開鍵暗号方式などを用いてもよい
【００６３】
これにより、ネットワーク３００からのＲＡＷデータの盗聴などを防止することができ、信頼性を向上させることができる。
【００６４】
＜変形例２＞
図８、図９、図１０は上記の第１の実施形態から第３の実施形態の撮像装置１００Ａ、１００Ｂ、１００Ｃ各々の変形例２を示すブロック図である。
【００６５】
図８、図９、図１０に示すように、これらの変形例２においては、Ａ／Ｄ変換器１０３より出力されるＲＡＷデータを圧縮するデータ圧縮部１０９が設けられる。ＲＡＷデータを圧縮には、例えば、ＭＰＥＧ−２（MPEG：Moving Picture Experts Group）、ＡＶＣ、ＸＡＶＣ、ＪＰＥＧ２０００（JPEG：Joint Photographic Experts Group）などを用いることができる。
【００６６】
これにより、ＲＡＷデータの伝送量を低減することができる。また、バッファ１０６のサイズを抑えることができる。
【００６７】
＜変形例３＞
図１１、図１２、図１３は上記の第１の実施形態から第３の実施形態の撮像装置１００Ａ、１００Ｂ、１００Ｃ各々の変形例２を示すブロック図である。
【００６８】
図１１、図１２、図１３に示すように、これらの変形例２においては、Ａ／Ｄ変換器１０３より出力されるＲＡＷデータを圧縮するデータ圧縮部１０９と、圧縮されたＲＡＷデータを暗号化する暗号化部１０８が設けられる。
【００６９】
これによりネットワーク３００からのＲＡＷデータの盗聴などを防止することができ、信頼性を向上させることができる。また、ＲＡＷデータの伝送量を低減することができる。さらに、バッファ１０６のサイズを抑えることができる。
【００７０】
なお、図１２、図１３の撮像装置１００Ｂ、１００Ｃにおいて、データ圧縮部１０９は暗号化部１０８の出力側に配置されていてもよい。
【００７１】
なお、本技術は以下のような構成もとることができる。
（１）  カラー用の撮像素子と、
前記撮像素子より出力されたカラー毎のアナログ信号をデジタル信号に変換してＲＡＷデータを生成するＡ／Ｄ変換器と、
前記Ａ／Ｄ変換器により生成された前記ＲＡＷデータを格納したＩＰパケットを生成する送信処理部と、
前記生成されたＩＰパケットをネットワークを通じて、前記ＲＡＷデータの現像処理を行うことが可能なサーバに送信するネックワークインタフェースと
を具備する撮像装置。
【００７２】
（２）前記（１）に記載の撮像装置であって、
前記Ａ／Ｄ変換器により生成された前記ＲＡＷデータをバッファリングするバッファを
さらに具備する撮像装置。
【００７３】
（３）前記（２）に記載の撮像装置であって、
前記サーバから送信される、当該サーバのビジー状態を示すビジー情報を取得するビジー情報取得部と、
前記検出されたビジー情報をもとに前記バッファの出力レートを変更するコントローラと
をさらに具備する撮像装置。
【００７４】
（４）前記（１）から（３）のうちいずれか１つに記載の撮像装置であって、
前記撮像素子の水平解像度が２．５Ｋ以上である
撮像装置。
【００７５】
（５）前記（１）から（４）のうちいずれか１つに記載の撮像装置であって、
前記ＲＡＷデータのフレームレートが２３フレーム／秒以上である
撮像装置。
【００７６】
（６）前記（１）から（５）のうちいずれか１つに記載の撮像装置であって、
前記ＲＡＷデータの画素毎のビット数が１２ビット以上である
撮像装置。
【００７７】
（７）前記（１）から（６）のうちいずれか１つに記載の撮像装置であって、
前記ＲＡＷデータを圧縮する圧縮部をさらに具備し、
前記送信処理部は、前記圧縮されたＲＡＷデータを格納したＩＰパケットを生成する
撮像装置。
【００７８】
（８）前記（１）から（６）のうちいずれか１つに記載の撮像装置であって、
前記ＲＡＷデータを暗号化する暗号化部をさらに具備し、
前記送信処理部は、前記暗号化されたＲＡＷデータを格納したＩＰパケットを生成する
撮像装置。
【００７９】
（９）前記（１）から（６）のうちいずれか１つに記載の撮像装置であって、
前記ＲＡＷデータを圧縮する圧縮部をさらに具備し、
前記ＲＡＷデータを暗号化する暗号化部をさらに具備し、
前記送信処理部は、前記圧縮され、かつ前記暗号化されたＲＡＷデータを格納したＩＰパケットを生成する
撮像装置。
【符号の説明】
【００８０】
１０…撮像システム
１００…撮像装置
１０１…レンズ
１０２…撮像素子
１０３…Ａ／Ｄ変換器
１０４…送信処理部
１０５…ネットワークインタフェース
１０６…バッファ
１０７…ビジー情報取得部
１０８…暗号化部
１０９…データ圧縮部
１１０…コントローラ
２００…ネットワークサーバ
２０１…ＣＰＵ
３００…ネットワーク
【図１】
2015125405.tif 000003
【図２】
2015125405.tif 000004
【図３】
2015125405.tif 000005
【図４】
2015125405.tif 000006
【図５】
2015125405.tif 000007
【図６】
2015125405.tif 000008
【図７】
2015125405.tif 000009
【図８】
2015125405.tif 000010
【図９】
2015125405.tif 000011
【図１０】
2015125405.tif 000012
【図１１】
2015125405.tif 000013
【図１２】
2015125405.tif 000014
【図１３】
2015125405.tif 000015
【国際調査報告】
2015125405.tif 000016
2015125405.tif 000017
2015125405.tif 000018
2015125405.tif 000019